(57)【要約】【課題】不要な電力消費を防ぐイオン発生装置付き給気グリルを提供することを目的とする。【解決手段】フレーム８内部に給気流の流れを検知するセンサー１０を設けたことにより、熱交換形換気装置等の換気装置３から送風された給気流７の流れを検知し、給気流７が送風されていないときには、静電霧化手段９からイオンの放出を停止することができるため、不要な電力消費を防ぐことができるイオン発生装置付き給気グリル２を得られる。【選択図】図３
2015094487.tif 000002
【特許請求の範囲】
【請求項１】
室内の天面または壁面または床面に取り付けられ、熱交換形換気装置等の換気装置から送風された給気流をダクトを介して前記室内へ吹き出すイオン発生装置付き給気グリルであって、前記ダクトと連通する室外側開口および前記室内と連通する室内側開口と、前記室外側開口と前記室内側開口の間に前記給気流の通風路を形成するフレームと、前記フレーム内部にイオンを放出する静電霧化手段とを備え、前記フレーム内部には前記給気流の流れを検知するセンサーを設けたことを特徴としたイオン発生装置付き給気グリル。
【請求項２】
センサーは、給気流の風速を検知する風速センサーであることを特徴とした請求項１に記載のイオン発生装置付き給気グリル。
【請求項３】
センサーは、給気流の圧力を検知する圧力センサーであることを特徴とした請求項１に記載のイオン発生装置付き給気グリル。
【請求項４】
センサーは、給気流の風圧により可動するシャッターの可動状態を検知する検知センサーであることを特徴とした請求項１に記載のイオン発生装置付き給気グリル。
【発明の詳細な説明】
【技術分野】
【０００１】
本発明は、室内空間の除菌や脱臭を行うイオン発生装置付き給気グリルに関するものである。
【背景技術】
【０００２】
従来、この種のイオン発生装置付き給気グリルは熱交換形換気装置等の換気装置にダクトを介して接続するものが知られている（例えば、特許文献１参照）。
【０００３】
以下、そのイオン発生装置付き給気グリルついて図６を参照しながら説明する。
【０００４】
図６に示すように、室内１０１の天面または壁面または床面に取り付けられたイオン発生装置付き給気グリル１０２は、熱交換形換気装置等の換気装置から送風する給気流１０３の通風路を形成するフレーム１０４に、イオン発生器１０５からイオンを放出することで、室内１０１へイオンを供給していた。
【先行技術文献】
【特許文献】
【０００５】
【特許文献１】特開２００９−１２７８７１号公報
【発明の概要】
【発明が解決しようとする課題】
【０００６】
このような従来のイオン発生装置付き給気グリルにおいては、熱交換形換気装置等の換気装置から給気流が送風されないときは、フレームに給気流が送風されず室内へイオンを供給できないのにもかかわらず、イオン発生器からイオンを放出し続けており、不要な電力消費をしてしまうという課題を有していた。
【０００７】
そこで本発明は、上記従来の課題を解決するものであり、不要な電力消費を防ぐイオン発生装置付き給気グリルを提供することを目的とする。
【課題を解決するための手段】
【０００８】
そして、この目的を達成するために、本発明は、
室内の天面または壁面または床面に取り付けられ、熱交換形換気装置等の換気装置から送風された給気流をダクトを介して前記室内へ吹き出すイオン発生装置付き給気グリルであって、前記ダクトと連通する室外側開口および前記室内と連通する室内側開口と、前記室外側開口と前記室内側開口の間に前記給気流の通風路を形成するフレームと、前記フレーム内部にイオンを放出する静電霧化手段とを備え、前記フレーム内部には前記給気流の流れを検知するセンサーを設けたことを特徴としたものであり、これにより所期の目的を達成するものである。
【発明の効果】
【０００９】
本発明によれば、室内の天面または壁面または床面に取り付けられ、熱交換形換気装置等の換気装置から送風された給気流をダクトを介して前記室内へ吹き出すイオン発生装置付き給気グリルであって、前記ダクトと連通する室外側開口および前記室内と連通する室内側開口と、前記室外側開口と前記室内側開口の間に前記給気流の通風路を形成するフレームと、前記フレーム内部にイオンを放出する静電霧化手段とを備え、前記フレーム内部には前記給気流の流れを検知するセンサーを設けたことを特徴とした構成にしたことにより、給気流の流れを検知し、熱交換形換気装置等の換気装置からの給気流が送風されているか、送風されていないかどうかを判定することができ、その結果、熱交換形換気装置等の換気装置から給気流が送風されていないときには、静電霧化手段からのイオンの放出を停止し、不要な電力消費を防ぐことができる、という効果を奏する。
【図面の簡単な説明】
【００１０】
【図１】本発明の実施の形態１のイオン発生装置付き給気グリルの設置例の概略図
【図２】同イオン発生装置付き給気グリルの概略斜視図
【図３】同イオン発生装置付き給気グリルの概略構成図
【図４】本発明の実施の形態２のイオン発生装置付き給気グリルの概略構成図
【図５】本発明の実施の形態３のイオン発生装置付き給気グリルの概略図（ａ）全体の概略構成図、（ｂ）同給気流が送風されたときの同イオン発生装置付き給気グリルの（ａ）のＡ部の詳細概略構成図、（ｃ）同給気流が送風されないときの同イオン発生装置付き給気グリルの（ａ）のＡ部の詳細概略構成図
【図６】従来のイオン発生装置付き給気グリルの設置例を示す概略断面図
【発明を実施するための形態】
【００１１】
本発明の請求項１記載の給気装置は、室内の天面または壁面または床面に取り付けられ、熱交換形換気装置等の換気装置から送風された給気流をダクトを介して前記室内へ吹き出すイオン発生装置付き給気グリルであって、前記ダクトと連通する室外側開口および前記室内と連通する室内側開口と、前記室外側開口と前記室内側開口の間に前記給気流の通風路を形成するフレームと、前記フレーム内部にイオンを放出する静電霧化手段とを備え、前記フレーム内部には前記給気流の流れを検知するセンサーを設けたことを特徴とした構成を有する。
【００１２】
これにより、給気流の流れを検知し、熱交換形換気装置等の換気装置から給気流が送風されているか、送風されていないかどうかを判定し、熱交換形換気装置等の換気装置から給気流が送風されていないときには、静電霧化手段からイオンの放出を停止し、不要な電力消費を防ぐことができるという効果を奏する。
【００１３】
また、センサーは、給気流の風速を検知する風速センサーであることを特徴とした構成にしてもよい。
【００１４】
これにより、給気流の風速を検知し、熱交換形換気装置等の換気装置から給気流が送風されているか、送風されていないかどうかを判定し、熱交換形換気装置等の換気装置から給気流が送風されていないときには、静電霧化手段からイオンの放出を停止し、不要な電力消費を防ぐことができるという効果を奏する。
【００１５】
また、センサーは給気流の圧力を検知する圧力センサーであることを特徴とした構成にしてもよい。
【００１６】
これにより、給気流の圧力を検知することで流量を検出し、熱交換形換気装置等の換気装置から給気流が送風されているか、送風されていないかどうかを判定し、熱交換形換気装置等の換気装置から給気流が送風されていないときには、静電霧化手段からイオンの放出を停止し、不要な電力消費を防ぐことができるという効果を奏する。
【００１７】
また、センサーは、給気流の風圧により可動するシャッターの可動状態を検知する検知センサーであることを特徴とした構成にしてもよい。
【００１８】
これにより、給気流によりシャッターが可動したときに可動状態を検知し、熱交換形換気装置等の換気装置から給気流が送風されているか、送風されていないかどうかを判定することができ、熱交換形換気装置等の換気装置から給気流が送風されていないときには、静電霧化手段からイオンの放出を停止し、不要な電力消費を防ぐことができるという効果を奏する。
【００１９】
以下、本発明の実施の形態について、図面を参照しながら説明する。
【００２０】
（実施の形態１）
図１〜３に示すように、室内１の天面に取り付けたイオン発生装置付き給気グリル２は、熱交換形換気装置等の換気装置３と換気装置３に接続されたダクト４を介して連通する室外側開口５および室内１と連通する室内側開口６を有し、室外側開口５と室内側開口６の間に熱交換形換気装置等の換気装置３から送風された室外からの空気である給気流７の通風路を形成するフレーム８を備え、フレーム８の内部には、例えばこの実施の形態では室内側開口６の付近にイオンを放出する静電霧化手段９を設け、また、例えばこの実施の形態では室外側開口５の付近に給気流７の風速を検知するセンサー１０とを設けた構成となっている。
【００２１】
センサー１０は熱線式、風杯式、風車式、超音波式、電磁式、カルマン渦等の方式により、給気流７の風速を検知している。
【００２２】
上記構成において、図１、３のように熱交換形換気装置等の換気装置３からダクト４を介してフレーム８内部へ室外側からの空気である給気流７が送風されると、センサー１０は給気流７の風速を検知して、静電霧化手段９からフレーム８内部へイオンを放出させ、給気流７とともに室内１へ供給する。
【００２３】
さらに、熱交換形換気装置等の換気装置３から給気流７が送風されないときにおいては、センサー１０は給気流７の風速を検知せず、静電霧化手段９からイオンの放出を停止する。
【００２４】
しかし、センサー１０を備えていない場合においては、熱交換形換気装置等の換気装置３から給気流７が送風されていても、送風されていなくても静電霧化手段９からイオンを放出してしまい、不要な電力消費をしてしまう。
【００２５】
詳述すると、給気流７が送風されているときは、放出したイオンは給気流７とともに室内１へ供給することができる。しかし、給気流７が送風されていないときは、フレーム８内部に給気流７が送風されず室内１へイオンを供給できないのにもかかわらず、イオンを放出し続けており、不要な電力消費をしてしまう。
【００２６】
そのため、センサー１０を備える本発明は、熱交換形換気装置等の換気装置３から給気流７が送風されないときには、静電霧化手段９からイオンの放出を停止することができ、不要な電力消費を防ぐことができることとなる。
【００２７】
なお、本発明は、本実施の形態１では、天面取り付けにおいて説明したが、壁面または床面に取り付けてもよい。
【００２８】
（実施の形態２）
実施の形態１と同じ構成には同符号を付し、詳しい説明は省略する。
【００２９】
図４に示すように、フレーム８内部には、給気流７の圧力を検知するセンサー１０を設けた構成となっている。
【００３０】
センサー１０は機械式、液柱式、熱伝導率式、電離真空式等の方式により、給気流７の圧力を検知することで給気流７の流量を検出することができる。
【００３１】
上記構成において、図１、４のように熱交換形換気装置等の換気装置３からダクト４を介してフレーム８内部へ給気流７が送風されると、センサー１０は給気流７の圧力から給気流７の流量を検出して、静電霧化手段９からフレーム８内部へイオンを放出させ、給気流７とともに室内１へ供給する。
【００３２】
さらに、熱交換形換気装置等の換気装置３から給気流７が送風されないときにおいては、センサー１０は給気流７の圧力から給気流７の流量を検出せず、静電霧化手段９からイオンの放出を停止することができる。
【００３３】
そのため、センサー１０を備える本発明は、熱交換形換気装置等の換気装置３から給気流７が送風されないときには、静電霧化手段９からイオンの放出を止めることができ、不要な電力消費を防ぐことができることとなる。
【００３４】
なお、本発明は、本実施の形態２では、天面取り付けにおいて説明したが、壁面または床面に取り付けてもよい。
【００３５】
（実施の形態３）
実施の形態２と同じ構成には同符号を付し、詳しい説明は省略する。
【００３６】
図５（ａ）に示すように、フレーム８内部には、給気流７の風圧により可動するシャッター１１と、シャッター１１の可動状態を検知するセンサー１０を設けた構成となっている。
【００３７】
上記構成において、図１、５（ａ）のように熱交換形換気装置等の換気装置３からダクト４を介してフレーム８内部へ給気流７が送風されると、図５（ｂ）のようにシャッター１１が給気流７の風圧により可動する。そこで、センサー１０はシャッター１１の可動状態を検出して、静電霧化手段９からフレーム８内部へイオンを放出させ、給気流７とともに室内１へ供給する。
【００３８】
さらに、熱交換形換気装置等の換気装置３から給気流７が送風されないときにおいては、図５（ｃ）のようにシャッター１１が給気流７の風圧により可動しないため、センサー１０はシャッター１１の可動状態を検出せず、静電霧化手段９からイオンの放出を停止することができる。
【００３９】
そのため、センサー１０を備える本発明は、熱交換形換気装置等の換気装置３から給気流７が送風されないときには、静電霧化手段９からイオンの放出を停止することができ、不要な電力消費を防ぐことができることとなる。
【００４０】
なお、本発明は、本実施の形態３では、天面取り付けにおいて説明したが、壁面または床面に取り付けてもよい。
【産業上の利用可能性】
【００４１】
本発明にかかるイオン発生装置付き給気グリルは、給気用換気扇とか給気用送風機等に有用である。
【符号の説明】
【００４２】
１  室内
２  イオン発生装置付き給気グリル
３  換気装置
４  ダクト
５  室外側開口
６  室内側開口
７  給気流
８  フレーム
９  静電霧化手段
１０  センサー
１１  シャッター
【図１】
2015094487.tif 000003
【図２】
2015094487.tif 000004
【図３】
2015094487.tif 000005
【図４】
2015094487.tif 000006
【図５】
2015094487.tif 000007
【図６】
2015094487.tif 000008